(57)【要約】【課題】汚染因子に水分を付着させてその浮遊を防止でき、水分が付着した汚染因子と、空気を下水管内に排出でき、多数の内部空間からの吸引が簡単に行え、フィルタも不要で、汚染因子を確実に、簡単に、且つ能率的に処理でき、構成簡素で、量産に適し、低廉で、衛生環境を改善でき、省エネに役立ち、経済的な排気処理装置を提供する。【解決手段】各種建築物の内部空間で浮遊する汚染因子を、空気と共に排気して処理する排気処理装置であって、少なくとも排気ユニットＡと散水ユニットＢを備え、排気ユニットＡは、建築物の内部空間の汚染因子を含む空気を内部空間外に吸引できるよう構成すると共に、この空気を下水管Ｄ内に排出できるよう構成し、散水ユニットＢは、排気ユニットＡにより内部空間外に吸引した汚染因子を含む空気にノズル７を介して散水できるよう構成する。【選択図】図１
0003160081.tif 000002
【実用新案登録請求の範囲】
【請求項１】
オフィスビルや一般住宅や地下街の如き各種建築物に於いて、その内部空間で浮遊する埃や塵や花粉やウィルスの如き汚染因子を、空気と共に排気して処理できるようにした排気処理装置であって、少なくとも排気ユニットと散水ユニットを備え、排気ユニットは、建築物の内部空間の汚染因子を含む空気を内部空間外に吸引できるよう構成されると共に、この空気を下水管内に排出できるよう構成され、散水ユニットは、排気ユニットにより内部空間外に吸引された汚染因子を含む空気にノズルを介して散水できるよう構成したことを特徴とする建築物に於ける排気処理装置。
【請求項２】
オフィスビルや一般住宅や地下街の如き各種建築物に於いて、その内部空間で浮遊する埃や塵や花粉やウィルスの如き汚染因子を、空気と共に排気して処理できるようにした排気処理装置であって、少なくとも排気ユニットと散水ユニットを備え、排気ユニットは、建築物の内部空間の汚染因子を含む空気をファンによって吸引できるよう構成され、この空気をファンによって散水ユニットがわに送給すると共に、下水管内に排出できるよう構成され、散水ユニットは、排気ユニットのファンがわから送給される汚染因子を含む空気にノズルを介して散水できるよう構成したことを特徴とする建築物に於ける排気処理装置。
【請求項３】
前記散水ユニットに、雨水や浄化水を貯水可能なタンクと、このタンク内の水をノズルに供給するポンプとを設けたことを特徴とする請求項１または請求項２記載の建築物に於ける排気処理装置。
【考案の詳細な説明】
【技術分野】
【０００１】
本考案は、主に、オフィスビルや一般住宅や地下街の如き各種建築物（マンションや地下鉄構内やトンネルやその他の建築物も含む）に於いて、その内部空間で浮遊する埃や塵や花粉やウィルスの如き汚染因子を、空気と共に排気して処理できるようにしたもので、特に、汚染因子を含む空気を簡単に、確実に、且つ経済的に処理できるように工夫した建築物に於ける排気処理装置に関するものである。
【背景技術】
【０００２】
従来、この種の汚染因子を含む空気を処理する処理装置としては、例えば、特許文献１に示すような空気清浄装置が開示されている。
これは、ケースの単一の面に設けられた空気吸込口と前記ケースの複数の面に設けられた空気吹出口とをつなぐ風路を前記ケースの内部に構成すると共に、前記風路に前記空気吸込口から前記空気吹出口へ向かって順にプレフィルタ、送風ファン及び空気清浄フィルタを設けた空気清浄装置において、前記空気清浄フィルタの一方の面に正電極を、他方の面に負電極を夫々配置したものである。
【先行技術文献】
【特許文献】
【０００３】
【特許文献１】特開２００１−１２９４３２号公報
【考案の概要】
【考案が解決しようとする課題】
【０００４】
ところが、前述のような空気清浄装置にあっては、空気清浄装置を建築物の内部空間毎に設置する必要があり、多数の空気清浄装置が必要となる難点や、空気清浄装置自体の構成が複雑になる難点や、空気清浄フィルタに埃や塵が付着するため、頻繁にこれらを除去する必要がある等の難点があった。
そこで、本願考案者は、前述のような難点等が発生することが無く、汚染因子を含む空気を簡単に、確実に、且つ経済的に処理できるような建築物に於ける排気処理装置を案出したものである。
【課題を解決するための手段】
【０００５】
しかして、前述の如き課題を達成できるようにすべく、本考案の請求項１記載の建築物に於ける排気処理装置にあっては、オフィスビルや一般住宅や地下街の如き各種建築物に於いて、その内部空間で浮遊する埃や塵や花粉やウィルスの如き汚染因子を、空気と共に排気して処理できるようにした排気処理装置であって、少なくとも排気ユニットＡと散水ユニットＢを備え、排気ユニットＡは、建築物の内部空間の汚染因子を含む空気を内部空間外に吸引できるよう構成されると共に、この空気を下水管Ｄ内に排出できるよう構成され、散水ユニットＢは、排気ユニットＡにより内部空間外に吸引された汚染因子を含む空気にノズル７を介して散水できるよう構成する手段を採用した。
【０００６】
また、本考案の請求項２記載の建築物に於ける排気処理装置にあっては、オフィスビルや一般住宅や地下街の如き各種建築物に於いて、その内部空間で浮遊する埃や塵や花粉やウィルスの如き汚染因子を、空気と共に排気して処理できるようにした排気処理装置であって、少なくとも排気ユニットＡと散水ユニットＢを備え、排気ユニットＡは、建築物の内部空間の汚染因子を含む空気をファン２によって吸引できるよう構成され、この空気をファン２によって散水ユニットＢがわに送給すると共に、下水管Ｄ内に排出できるよう構成され、散水ユニットＢは、排気ユニットＡのファン２がわから送給される汚染因子を含む空気にノズル７を介して散水できるよう構成する手段を採用した。
【０００７】
更に、本考案の請求項３記載の建築物に於ける排気処理装置にあっては、前記散水ユニットＢに、雨水や浄化水を貯水可能なタンク５と、このタンク５内の水をノズル７に供給するポンプ６とを設ける手段を採用した。
【考案の効果】
【０００８】
従って、請求項１の建築物に於ける排気処理装置によれば、排気ユニットＡによって、建築物の内部空間で浮遊している汚染因子を含む空気を内部空間外に吸引でき、散水ユニットＢによって、空気中の汚染因子に水分を付着させてその浮遊を防止でき、そして、この水分が付着した汚染因子と、空気を下水管Ｄ内に排出することができるようになる。すなわち、汚染因子を含む空気の処理が簡単に、確実に、安全に、且つ経済的に行えるようになる。
特に、多数の内部空間からの汚染因子を含む空気の内部空間外への吸引が簡単に行えるようになり、フィルタも不要で、汚染因子を能率的に処理できるようになる。
しかも、構成が簡素で、量産に適し、低廉に提供でき、省エネに役立ち、経済的に優れた排気処理装置となる。
加えて、汚染因子を含む空気にノズル７を介して散水できるよう構成することと、この空気を下水管Ｄ内に排出できるよう構成することとによって、下水管Ｄ内の下水や空気の流れが良くなり、下水管Ｄ内に於ける臭いの発生や、蚊の発生等を改善できるようになり、衛生環境を向上させることができるようになる。
【０００９】
また、請求項２の建築物に於ける排気処理装置によれば、排気ユニットＡのファン２によって、建築物の内部空間で浮遊している汚染因子を含む空気を内部空間外に吸引でき、散水ユニットＢのノズル７によって、空気中の汚染因子に水分を付着させてその浮遊を防止でき、そして、この水分が付着した汚染因子と、空気を下水管Ｄ内に排出することができるようになる。すなわち、汚染因子を含む空気の処理が簡単に、確実に、安全に、且つ経済的に行えるようになる。
特に、多数の内部空間からの汚染因子を含む空気の内部空間外への吸引が簡単に行えるようになり、フィルタも不要で、汚染因子を能率的に処理できるようになる。
しかも、構成が簡素で、量産に適し、低廉に提供でき、省エネに役立ち、経済的に優れた排気処理装置となる。
加えて、汚染因子を含む空気にノズル７を介して散水できるよう構成することと、この空気をファン２によって下水管Ｄ内に排出できるよう構成することとによって、下水管Ｄ内の下水や空気の流れが良くなり、下水管Ｄ内に於ける臭いの発生や、蚊の発生等を改善できるようになり、衛生環境を向上させることができるようになる。
【００１０】
更に、請求項３の建築物に於ける排気処理装置によれば、汚染因子を含む空気に散水される水として、雨水や浄化水を利用することができるようになり、より経済的な排気処理装置となる。
【図面の簡単な説明】
【００１１】
【図１】本考案の排気処理装置を例示する概略図である。
【図２】本考案の他の排気処理装置を例示する概略図である。
【図３】本考案の他の排気処理装置を例示する概略図である。
【図４】本考案の他の排気処理装置を例示する概略図である。
【考案を実施するための形態】
【００１２】
以下、本考案を説明すると、次の通りである。
本考案は、オフィスビルや一般住宅や地下街の如き各種建築物（マンションや地下鉄構内やトンネルやその他の建築物も含む）に於いて、その内部空間で浮遊する埃や塵や花粉やウィルス（或いは、黄砂やその他）の如き汚染因子を、空気と共に排気して処理できるようにした排気処理装置である。
具体的には、少なくとも排気ユニットＡと散水ユニットＢを備え、排気ユニットＡは、建築物の内部空間の汚染因子を含む空気を内部空間外に吸引できるよう構成されると共に、この空気を下水管Ｄ内に排出できるよう構成され、散水ユニットＢは、排気ユニットＡにより内部空間外に吸引された汚染因子を含む空気にノズル７を介して散水できるよう構成することで、前記課題を達成する。
【実施例】
【００１３】
図１は、例えば、オフィスビルやマンション等の内部空間（例えば、区画された部屋）が多数ある建築物に於ける排気処理装置を例示したものである。
具体的には、建築物の屋上に排気ユニットＡの一部（ケーシング１とファン２）と散水ユニットＢとを設置し、排気ユニットＡは、吸気口と排気口を有するケーシング１と、このケーシング１に内装されるファン２と、ケーシング１の排気口と下水管Ｄとを連通するように配される排出パイプ３と、この排出パイプ３と各内部空間を連通する複数の連通パイプ３ａとを備え、散水ユニットＢは、排出パイプ３の途中（例えば、排出パイプ３の鉛直部分の上端部）に介装されるノズル７と、このノズル７にタンク５内の水（上水、或いは、雨水、或いは、浄化水）を送給するポンプ６とを備えたものである。
すなわち、排気ユニットＡのファン２が回転すると（モーターにより駆動回転せしめても良いし、或いは、風力を利用した回転でも良い。）、ケーシング１の吸気口から外気を吸引すると共に、これを排出パイプ３を介して下水管Ｄ内に送給するようになる。
すると、各内部空間で浮遊する埃や塵や花粉やウィルスの如き汚染因子を含んだ空気は、連通パイプ３ａを介して排出パイプ３内に吸引されて、下水管Ｄ内に排出されるようになる。しかも、排出パイプ３内に吸引されたときに、散水ユニットＢのノズル７からの水（上水、或いは、雨水、或いは、浄化水）の散水（噴霧）によって、汚染因子に水分が付着し、浮遊することなくこの状態で下水管Ｄ内にスムーズに排出されるようになる。
ところで、各内部空間の汚染因子を含んだ空気は、排出パイプ３内を下水管Ｄに向って流れる空気の動きによって吸引されるため、比較的緩やかな吸引状態を期待できるようになり、内部空間の急激な温度変化等を伴わない身体に優しい自然な排気が可能となる。
【００１４】
図２は、例えば、一般家屋等の低層の建築物に於ける排気処理装置を例示したものである。
具体的には、建築物の敷地の地表面部分（或いは、地中内でも良いし、或いは、建築物内でも良い。）に、排気ユニットＡと散水ユニットＢとを設置し、排気ユニットＡは、吸気口と排気口を有するケーシング１と、このケーシング１に内装されるファン２と、ケーシング１の排気口と下水管Ｄとを連通するように配される排出パイプ３と、ケーシング１と各内部空間を連通する換気パイプＣとを備え、散水ユニットＢは、排出パイプ３の途中に介装されるノズル７と、このノズル７にタンク５内の水（上水、或いは、雨水、或いは、浄化水）を送給するポンプ６とを備えたものである。
すなわち、排気ユニットＡのファン２が回転すると（モーターにより駆動回転せしめても良いし、或いは、風力を利用した回転でも良い。）、ケーシング１の吸気口から外気を吸引すると共に、これを排出パイプ３を介して下水管Ｄ内に送給するようになる。
しかも、内部空間で浮遊する埃や塵や花粉やウィルスの如き汚染因子を含んだ空気は、換気パイプＣを介してケーシング１内に吸引されて、下水管Ｄ内に排出されるようになる。このとき、排出パイプ３内に吸引されたときに、散水ユニットＢのノズル７からの水（上水、或いは、雨水、或いは、浄化水）の散水（噴霧）によって、汚染因子に水分が付着し、浮遊することなくこの状態で下水管Ｄ内にスムーズに排出されるようになる。
尚、図示例の排気ユニットＡ及び散水ユニットＢは、メンテナンス等が行い易いように地表面に近い低い位置に設置されているが、屋根の上や、ベランダ等の比較的高い位置に設置しても良い。
また、内部空間の汚染因子を含んだ空気は、ケーシング１の吸気口から吸気されて排気口から排出パイプ３内に送給される空気の動きによっても吸引されるようになるため、比較的緩やかな吸引状態を期待できるようになり、内部空間の急激な温度変化等を伴わない身体に優しい自然な排気が可能となる。
【００１５】
図３は、例えば、地下街や地下鉄の構内や地下通路やトンネル等の建築物に於ける排気処理装置を例示したもので、地下の床部に、内部空間と下水管Ｄとを連通するような適宜排出路４を設けると共に、この排出路４内に排気ユニットＡと散水ユニットＢを設けたものである。
そして、排出路４の吸気口は、歩行者が歩行可能で且つ内部空間の汚染因子を含んだ空気が通過可能となるように形成（例えば、メッシュのパネルによって形成）されており、排出路４の吸気口近傍には排気ユニットＡのファン２が配され、排気ユニットＡの後方上部に散水ユニットＢが配置されている。
すなわち、内部空間で浮遊する埃や塵や花粉やウィルスの如き汚染因子は、ファン２の作動によって排出路４内に吸引されると共に、下水管Ｄ内に排出できるように構成されている。しかも、汚染因子を含む空気が排出路４内を移動している際に、ポンプ６を介して水（上水、或いは、雨水、或いは、浄化水）がノズル７から噴出（噴霧）せしめられ、汚染因子に水分が付着し、この状態で下水管Ｄ内にスムーズに排出されるよう構成されている。
【００１６】
図４は、例えば、地下街や地下鉄の構内や地下通路やトンネル等の建築物に於ける排気処理装置を例示したもので、地下の床部に内部空間と下水管Ｄとを連通するような適宜排出路４を設け、この排出路４の吸気口上方に適宜ケースを配置し、このケース内に排気ユニットＡと散水ユニットＢを設けたものである。
そして、ケースの側部に吸気口を設け、この吸気口近傍には排気ユニットＡのファン２が配され、排気ユニットＡの後方上部に散水ユニットＢが配置されている。
すなわち、内部空間で浮遊する埃や塵や花粉やウィルスの如き汚染因子は、ファン２の作動によってケースの吸気口からケース内に吸引されると共に、排出路４を介して下水管Ｄ内に排出できるように構成されている。しかも、汚染因子を含む空気がケース内（或いは、排出路４内）を移動している際に、ポンプ６を介して水（上水、或いは、雨水、或いは、浄化水）がノズル７から噴出（噴霧）せしめられ、汚染因子に水分が付着し、この状態で下水管Ｄ内にスムーズに排出されるよう構成されている。
【００１７】
前記排気ユニットＡは、例えば、少なくともファン２と、このファン２を駆動回転せしめる駆動部とを備えており、必要に応じてこれらをケーシング１内に収めたものでも良い。また、ファン２は、風力によって回転できるように構成されたものでも良いし、モータによって回転するものでも良いし、その他適宜構造のものを利用することができる。
また、ケーシング１は、適宜材料によって構成されると共に、適宜形状、寸法に形成できるものである。
【００１８】
前記散水ユニットＢは、少なくとも適数のノズル７と、このノズル７から水（上水、或いは、雨水、或いは、浄化水）を噴出させるためのポンプ６とを備えており、必要に応じて水（上水、或いは、雨水、或いは、浄化水）を安定的に供給するためのタンク５を設けたものでも良い。
【００１９】
前記排出パイプ３は、例えば、適宜パイプ材で構成されており、排気ユニットＡのケーシング１の排気口と下水管Ｄとを連通でき、しかも、水分が付着した汚染因子と空気がスムーズに下水管Ｄ内に排出できるよう構成されたものであれば良い。しかも、排出パイプ３の排気口がわが、下水管Ｄ内の下流に向うような斜め状態に形成されており、排出パイプ３の排気口から排出される空気がスムーズに下水管Ｄ内を下流に向って移動できるように形成されている。しかも、下水管Ｄ内を上流から下流に向って空気が流れることにより、排出パイプ３内には、その上端から下端がわに向って空気が移動するような吸引力が作用するように構成されている。
【００２０】
前記連通パイプ３ａは、例えば、適宜パイプ材で構成されており、排出パイプ３と内部空間とを連通できるように形成されている。しかも、連通パイプ３ａは、排出パイプ３がわに行くに従って下方に位置するような傾斜状態に配されており、排出パイプ３内を空気が上から下に向って流れることにより、連通パイプ３ａ内には、内部空間から排出パイプ３内に向って空気が移動するような吸引力が作用するように構成されている。
【００２１】
前記排出路４は、例えば、地下の床部に内部空間と下水管Ｄとを連通するように設けられたもので、その排気口がわが下水管Ｄ内の下流に向うような斜め状態に形成されており、排出路４の排気口から排出される空気がスムーズに下水管Ｄ内を下流に向って移動できるように形成されている。しかも、下水管Ｄ内を上流から下流に向って空気が流れることにより、排出路４内には、その上端から下端がわに向って空気が移動するような吸引力が作用するように構成されている。
【００２２】
前記下水管Ｄは、例えば、既に地下に埋設されているものを利用しても良いし、新たに埋設したものであっても良い。しかも、下水管Ｄの具体的な構成は適宜自由に設定できるものである。
特に、下水管Ｄの下流がわに、適宜浄化処理装置を設けることにより、下水管Ｄ内を流れてくる汚染因子を纏めて処理できるようになり、より効率の良い処理が行えるようになる。
【００２３】
本考案の建築物に於ける排気処理装置は、以上に述べた実施形態に限られるものではなく、考案の要旨を逸脱しない範囲内で各種の変更が可能なものである。
【産業上の利用可能性】
【００２４】
しかして、本考案の建築物に於ける排気処理装置によれば、汚染因子に水分を付着させてその浮遊を防止でき、水分が付着した汚染因子と、空気を下水管Ｄ内に排出でき、汚染因子を確実に、簡単に、安全に、且つ能率的に処理できるようになる。しかも、構成が簡素で、量産に適し、低廉に提供でき、省エネに役立ち、経済的に優れたものとなる。更に、下水管Ｄ内の下水や空気の流れが良くなり、下水管Ｄ内に於ける臭いの発生や、蚊の発生等を改善できるようになり、衛生環境を向上させることができるものとなる。
【符号の説明】
【００２５】
Ａ      排気ユニット
１      ケーシング
２      ファン
３      排出パイプ
３ａ    連通パイプ
４      排出路
Ｂ      散水ユニット
５      タンク
６      ポンプ
７      ノズル
Ｃ      換気パイプ
Ｄ      下水管
【図１】
0003160081.tif 000003
【図２】
0003160081.tif 000004
【図３】
0003160081.tif 000005
【図４】
0003160081.tif 000006